(57)【要約】【課題】オゾン処理設備を大型化することなく、効率的に感染性破棄物を処理できる感染性廃棄物の処理方法および処理装置を提供する。【解決手段】医療機関等から廃棄される感染性廃棄物を含む廃水を二酸化塩素で前処理をし、その後、オゾン処理をするもので、第１処理槽１と、第２処理槽２と、第１処理槽１に殺菌消毒剤としての二酸化塩素Ｃを注入する二酸化塩素注入装置３と、感染性廃棄物を含む廃水Ｄを第１処理槽１に供給する廃水供給装置５と、廃水Ｄを第１処理槽１と第２処理槽２との間を循環させる循環装置７と、循環する廃水中にオゾンを供給するオゾン供給装置８と、処理した廃水を放出する放流装置９と、を備えている。【選択図】　　図１
2004024922.tif 000002
【特許請求の範囲】
【請求項１】
感染性廃棄物を含む廃水を殺菌分解剤で前処理をし、その後、オゾン処理をすることを特徴とする感染性廃棄物の処理方法。
【請求項２】
前記殺菌消毒剤は二酸化塩素である請求項１に記載の感染性廃棄物の処理方法。
【請求項３】
前記殺菌消毒剤による前処理は、殺菌消毒剤を注入した後一定時間攪拌することを特徴とする請求項１または２に記載の感染性廃棄物の処理方法。
【請求項４】
オゾン処理は、第１および第２処理槽間を循環する廃水中にオゾンを供給して処理する方法であり、殺菌消毒剤による前処理は一方の第１処理槽で行い、その後循環させて所定時間オゾン処理を行うことを特徴とする請求項１乃至３のいずれかの項に記載の感染性廃棄物の処理方法。
【請求項５】
第１処理槽の前に廃水を随時受け付ける一時貯留槽を設け、該一時貯留槽から一定量だけ第１処理槽に移して処理することを特徴とする請求項１乃至４のいずかの項に記載の感染性廃棄物の処理方法。
【請求項６】
第１処理槽と、第２処理槽と、第１処理槽に殺菌消毒剤を注入する殺菌消毒剤注入手段と、前記第１処理槽に感染性廃棄物を含む廃水を供給する廃水供給手段と、廃水を第１処理槽と第２処理槽間を循環させる循環手段と、循環する廃水中にオゾンを供給するオゾン供給手段と、処理した廃水を放出する放出手段とを備えていることを特徴とする感染性廃棄物の処理装置。
【請求項７】
前記殺菌消毒剤は二酸化塩素である請求項６に記載の感染性廃棄物の処理装置。
【請求項８】
殺菌消毒剤が注入された第１処理槽内の廃水を攪拌する攪拌手段を備えている請求項６または７に記載の感染性廃棄物の処理装置。
【請求項９】
廃水供給手段に設けられる異物除去手段と、前記殺菌消毒剤注入手段から分岐して殺菌消毒剤の一部を前記異物除去手段に対して注入する分岐通路とを備えている請求項６乃至８のいずれかの項に記載の感染性廃棄物の処理装置。
【請求項１０】
第１処理槽の前に設けられ感染性廃棄物の廃水を随時受け付ける一時貯留槽と、該一時貯留槽から廃水を所定量第１処理槽へ供給する供給手段とを備えている請求項６乃至９のいずれかの項に記載の感染性廃棄物の処理装置。
【請求項１１】
一時貯留槽の前に廃水を受けるために設けられる受水槽と、該受水槽から前記一時貯留槽に廃水を供給する供給手段とを備えている請求項１０に記載の感染性廃棄物の処理装置。
【請求項１２】
殺菌分解剤の前処理工程で二酸化塩素を活性化させる請求項２乃至５のいずれかの項に記載の感染性廃棄物の処理方法。
【請求項１３】
殺菌分解剤による処理系に二酸化塩素を活性化させる活性化手段を配置した請求項７乃至１１のいずれかの項に記載の感染性廃棄物の処理装置。
【発明の詳細な説明】
【０００１】
【発明の属する技術分野】
本発明は、たとえば医療機関における廃水の処理方法および処理装置に関し、特に手術や解剖時に出る感染性廃棄物の廃水処理方法および処理装置に関する。
【０００２】
【従来の技術】
手術や解剖時に出る廃棄物の廃水には、血液が混じっており、病原菌に汚染されている可能性が高く、下水道や河川に放流する場合には、消毒しておく必要があり、法令によっても適正処理が定められている。
従来の推奨される処理方法は、廃水を８０℃に加熱して加熱殺菌する方法であるが、処理量に対して大規模で高価な処理設備が必要となり、コスト的に合わず、一部の大規模医療機関を除き、大部分の医療機関では一般の雑廃水と一緒に処理され、十分な殺菌処理がなされずに下水や河川に放流されているのが現状である。
【０００３】
【発明が解決しようとする課題】
感染性処理設備が普及しない理由は高コストにあり、低コストで処理できる処理設備が社会的な要請となっている。
低コストの処理方法としては、広く普及しているオゾン処理が有望であるが、小型のオゾン処理装置では処理量が追いつかず、処理設備を大型化しなければならない。
また、各種殺菌分解剤による処理も考えられるが、確実に殺菌するためには殺菌分解剤の濃度を高める必要がある。そうすると処理後の廃水中の殺菌分解剤の残留濃度が高くなり、そのまま外部へ放流すると環境への影響が大きい。殺菌分解剤の濃度によっては二次汚染のおそれがある。したがって、処理後に他の薬剤によって殺菌分解剤の残留分を中和処理をする必要があり、結局、処理設備が余分に必要となる結果となる。
【０００４】
本発明は上記した社会的要請に応じてなされたもので、その目的とするところは、処理設備を大型化することなく、低コストで効率的に感染性破棄物を処理できる感染性廃棄物の処理方法および処理装置を提供することにある。
【０００５】
【課題を解決するための手段】
上記目的を達成するために、本発明に係る感染性廃棄物の処理方法は、医療機関等から廃棄される感染性廃棄物を含む廃水を殺菌消毒剤で前処理をし、その後、オゾン処理をすることを特徴とする。
殺菌消毒剤としては二酸化塩素が好適である。
殺菌消毒剤による前処理は、殺菌消毒剤を注入した後一定時間攪拌することを特徴とする。
【０００６】
オゾン処理は、第１および第２処理槽間を循環する廃水中にオゾンを供給して処理する方法であり、殺菌消毒剤による前処理は一方の第１処理槽で行い、その後循環させて所定時間オゾン処理を行うことを特徴とする。
第１処理槽の前に廃水を随時受け付ける一時貯留槽を設け、該一時貯留槽から一定量だけ第１処理槽に移して処理することが好ましい。
【０００７】
また、本発明の感染性廃棄物の処理装置は、第１処理槽と、第２処理槽と、第１処理槽に殺菌消毒剤を注入する殺菌消毒剤注入手段と、前記第１処理槽に感染性廃棄物を含む廃水を供給する廃水供給手段と、廃水を第１処理槽と第２処理槽間を循環させる循環手段と、循環する廃水中にオゾンを供給するオゾン供給手段と、処理した廃水を放出する放出手段とを備えていることを特徴とする。
前記殺菌消毒剤は二酸化塩素であることが好ましい。
【０００８】
殺菌消毒剤が注入された第１処理槽内の廃水を攪拌する攪拌手段を備えているのが効果的である。
廃水供給手段に設けられる異物除去手段と、前記殺菌消毒剤注入手段から分岐して殺菌消毒剤の一部を前記異物除去手段に対して注入する分岐通路とを備えていることが好適である。
第１処理槽の前に設けられ感染性廃棄物の廃水を随時受け付ける一時貯留槽と、該一時貯留槽から廃水を所定量第１処理槽へ供給する供給手段とを備えていることが好ましい。
また、一時貯留槽の前に設けられる廃水を受けるための受水槽と、該受水槽から前記一時貯留槽に廃水を供給する供給手段とを備えていてもよい。
さらに、殺菌分解剤の前処理工程で二酸化塩素の水溶液にたとえば紫外線を照射して二酸化塩素を活性化するようにしてもよく、その場合には、殺菌分解剤による処理系に紫外線照射手段等の活性化手段を配置する。活性化させる方法としては、紫外線照射の他に酢酸等の酸を加えてもよい。
【０００９】
【発明の実施の形態】
以下に本発明を図示の実施の形態に基づいて説明する。
実施の形態１
図１は本発明の実施の形態１に係る感染性廃棄物の処理装置を示している。
すなわち、この処理装置１０は、第１処理槽１と、第２処理槽２と、第１処理槽１に殺菌消毒剤としての二酸化塩素Ｃを注入する二酸化塩素注入手段としての二酸化塩素注入装置３と、感染性廃棄物を含む廃水Ｄを第１処理槽１に供給する廃水供給手段としての廃水供給装置５と、廃水Ｄを第１処理槽１と第２処理槽２との間を循環させる循環装置７と、循環する廃水中にオゾンを供給するオゾン供給装置８と、処理した廃水を放出するための放出手段としての放出装置９と、を備えている。
【００１０】
ここで、感染性廃棄物とは、廃棄物処理法にれば、解剖・手術等に伴って発生する病理廃棄物（臓器、組織等）と、解剖・手術等に伴って発生する血液、血清、血漿、体液（精液を含む）を含む感染性産業廃棄物に分類されているが、本発明が対象としている感染性廃棄物は、主として感染性産業廃棄物が該当する。もちろん、法令の定義に限定されるものではなく、殺菌の必要のある医療廃棄物全般に適用可能である。
二酸化塩素としては水溶液の形態で、特に二酸化塩素をアルカリ溶液中にとかして安定化させた安定化二酸化塩素を用いることが好適である。
【００１１】
図示例では、第１処理槽１と第２処理槽２は地下の設備室１００内に配置されているが、設備室１００は地上にあってもよい。設備室１００には、設備室１００の空気の入れ換えをするための給気ファン等の吸気設備１０１、排気ファン等の排気設備１０２が設けられ、また、清掃時や水漏れ等が生じた場合に水を排水するための排水ポンプ１０３が設けられている。この廃水は外部に放流することなく、再び第１処理槽１に戻される。
第１処理槽１は密閉された容器で、第１処理槽１内部に貯まるガスを排気するための排気パイプ１１と、液面スイッチ１２とが設けられている。
排気パイプ１１は第１処理槽１上部に設けられ、パイプ途中に脱臭器１３が設けられている。
【００１２】
第２処理槽２は圧力容器で、上部には減圧弁２１と、内部のガスを排気するための排気通路２２が設けられている。排気通路２２には排オゾン吸着器２３が設けられている。また、第２処理槽２内の内圧を計測する圧力計２４が設けられている。
二酸化塩素注入装置３は、二酸化塩素を貯留するタンク３１と、このタンク３１と第１処理槽１間を接続する注入路６と、タンク３１内の二酸化塩素を第１処理槽１に送り出すポンプ３３とを備えている。また、図示しないが、給水路１２０のラインを分岐させてタンク内に給水可能とし、二酸化塩素濃度を調整可能としてもよい。その場合には、タンク３１内の二酸化塩素を撹拌する攪拌器、タンク３１内の液面を検出する液面計，タンク内に水位が所定量に達すると給水を停止するリミットスイッチ等が適宜設けられる。
【００１３】
また、第１処理槽１の上部には洗浄用の散水器１４が配置され、この散水器１１に給水パイプ１２０が接続されている。
廃水供給装置５は、解剖室等の廃棄物発生部署からの廃水を流す排水路５１と、排水路５１からの廃水を受けて異物を除去する異物除去具としての排水桝５２と、排水桝５２と第１処理槽１間を連通する供給路５３と、を備えている。排水桝５２の位置は第１処理槽１より高く、廃水は排水桝５２から第１処理槽１に重力によって流入する。
廃水供給装置５は、解剖室等からの廃棄物発生部署から直接第１処理槽１に供給される場合だけでなく、別にピット等の一時貯留槽を設け、一時的に貯留槽に貯留するようにしてもよい。
【００１４】
また、二酸化塩素注入流路６はタンク３１と第１処理槽１とを直接結んでいるが、途中に排水桝５２に至る分岐通路６１が設けられ、二酸化塩素Ｃを一部排水桝５２に注入している。排水桝５２に供給された二酸化塩素は排水桝５２を消毒し、供給路５３を通じて供給路５３を消毒しながら第１処理槽１に送られる。したがって、二酸化塩素Ｃは、設備タンク３１から直接注入される経路と、排水桝５２を介して注入される経路の２経路を通じて注入されることになり、分岐通路６１，排水桝５２および供給路５３も殺菌消毒剤である二酸化塩素の注入手段として機能する。
【００１５】
循環装置７は、第１処理槽１と第２処理槽２を結ぶ循環路７０と、循環路７０に設けられ廃水を第１，第２処理槽１，２間を循環させる循環ポンプ７３とを備えた構成となっている。循環路７０は第１処理槽１の底部と第２処理槽２の上部とを接続する輸送通路７１と、第２処理槽の底部と第１処理槽１の上部とを接続する戻し通路７２とを備えている。循環ポンプ７３は輸送通路７１に２つ並列に設けられ、一つが予備となっている。輸送通路７１の循環ポンプ７３の上流側にはストレーナ７４、さらに、通路を開閉する電動の開閉弁７５が設けられている。
オゾン供給装置８は、オゾン発生装置８０と、輸送通路７１の第２処理槽２近傍に設けられるエゼクタ８１と、オゾン発生装置８とエゼクタ８１間を接続するオゾン供給路８２と、を備えており、エゼクタ８１を通じて循環する廃水中に供給される。
【００１６】
また、処理した廃水を放流する放流装置９は、一端が電動の第１切換バルブ９３を介して循環路７０に接続され他端が解放された放出路９１と、放出路９１に設けられる放流ポンプ９２とを備えている。この放流ポンプ９２によって、第１，第２処理槽内の廃水を循環路７０を介して放流する。
第１処理槽１の底部には戻し通路７２に設けられた電動の第２切換バルブ９５に接続される抜き取り通路９４が設けられており、第１処理槽１からの放流は、この抜き取り通路９４，戻し通路７２および放出路９１に至る経路と、第１処理槽１から輸送路７１および第２処理槽２および放出路９１を通る経路の２経路を通じて放流される。第２処理槽１からの放流経路は、戻し流路７２および第１放出流路９１を通じて放流される。戻し通路７２を経由させずに、輸送通路７１のみから放流するようにしてもよいし、場合によっては、抜き取り通路９４および戻し通路７２のみから放流するようにしてもよい。
また、戻し通路７２の第２切換バルブ９５の下流側には、廃水を取り出してサンプリングするためのサンプリング通路１３０が設けられ、水質を検査するようになっている。
【００１７】
上記構成の廃棄物処理装置は、次のように作動する。
まず、解剖室等の廃棄物発生部署から排水路５１を通じて流された廃水は排水桝５２を経て廃水供給流路５２に流入し、廃水供給流路５２を通じて第１処理槽１に供給される。
一方、廃水が第１処理槽１に流入すると同時に、二酸化塩素注入装置３のポンプ３３を駆動して注入路６を通じて二酸化塩素を一定量注入する。二酸化塩素の大部分は注入路６を通じて直接第１処理槽１内に注入され、一部は注入路６から分岐通路６１を経てを排水桝５２に供給され、排水桝５２から供給路５３を経由して第１処理槽１に流入する。排水桝５２から供給路５３を流れていく途中廃水が二酸化塩素に接触し、殺菌されつつ第１処理槽１に流入するので、薬液が廃水によく混じり合い、殺菌を促進することができる。
この二酸化塩素の注入は、排水桝５２を経由させずに、第１処理槽１のみに注入するようにしてもよいし、第１処理槽１に直接注入せず、全量排水桝５２を経由させて注入するようにしてもよい。
【００１８】
第１処理槽１に供給される廃水の量が所定量に達すると廃水の供給を停止する。第１処理槽１における二酸化塩素の濃度が所定範囲となるようになるように、注入する二酸化塩素Ｃの量が決定される。濃度があまり濃いと、殺菌効果は高いが処理後の二酸化塩素の残留濃度が高くなってしまう。これは後工程のオゾン処理とのバランスにもよるが、５ｐｐｍ程度の濃度でよい結果が得られた。
【００１９】
廃水の充填が終了すると、輸送路７１の開閉バルブ７５を開くと共に循環ポンプ７４を回転駆動して廃水を輸送通路７１および戻し通路７２を通じて第１，第２処理槽１，２間を循環させる。廃水がエゼクタ８１を通過する際に、オゾンが輸送通路７１内に自動的に吸引され、オゾンが廃水に供給されながら第２処理槽２に流入する。循環している間、エゼクタ８１を通じて廃水に常時オゾンが供給され続け、廃水はオゾンに曝されながら循環することになり、殺菌、浄化が進行する。
所定時間運転後、サンプリング通路１３０から廃水を取水し、水質を検査し、検査基準内に収まっていれば、循環ポンプ７３およびオゾン発生装置８を停止する。
【００２０】
放流は、第１，第２切換バルブ９３，９５を切り換えると共に、放流ポンプ９３を駆動する。第２処理槽２内に残留している廃水は第２放出流路９２を通じて放流される。第１処理槽１内に残留している廃水は、輸送通路７１および第２処理槽２を通じて放流される分と、第１放出流路９１と戻し通路７２を通じて抜かれる分の２系統の通路を通じて放流される。
上記した各バルブ類の切換およびポンプ類の制御は、電気室１０４内に設けられた不図示の制御盤によって自動制御される。
【００２１】
本発明によれば、前処理工程で二酸化塩素で殺菌することにより、オゾン処理によって効率的に廃水を処理できた。
オゾン処理単独で達成しようとすると、処理に時間がかかり、時間を短縮しようとすれば、大型のオゾン発生器８０が必要となり、コストが高くなる。これに対し、本発明によれば、容量の小さいオゾン発生器８０で、基準内の水質を達成することができた。
また、二酸化塩素単独で処理する場合には、２０〜３０ｐｐｍ程度の濃度が必要とされており、後の中和処理が必要となるが、本発明の場合には、濃度が低くても後工程のオゾン処理によって殺菌をし、有機物を分解することができる。
さらに、前処理で残留した二酸化塩素はオゾン処理工程で分解され、二酸化塩素の残留濃度を適正に押さえることができた。
なお、二酸化塩素Ｃによる前処理工程で紫外線を照射するようにしてもよく、その場合には二酸化塩素Ｃによる処理系に不図示の二酸化塩素を活性化させる活性化手段としての紫外線照射装置を配置する。
紫外線の照射は二酸化塩素を活性化させる作用が認められており、紫外線照射装置は、二酸化塩素注入路６、第１処理槽１、分岐通路６１および廃液供給路５３等、前処理工程で二酸化塩素Ｃが存在する箇所に配置される。一箇所だけに設けてもよいし、複数箇所に設けてもよい。この場合、処理水が濁っている場合には活性化の効果が薄いと考えられるので、二酸化塩素注入路６，分岐通路６１といった処理水と混ざる前に配置することが好ましい。
また、活性化手段としては、酢酸等の酸を二酸化塩素の水溶液中に注入するようにしてもよい。注入量については処理の進行具合によって適宜調整する。
配管系に配置する紫外線照射装置としては、たとえば、配管に接続される一対の流出入ポートを備えた装置本体と、注入ポートから装置本体内部に流入した処理対象液に紫外線を照射する紫外線ランプとを備えた構成であればよい。
【００２２】
次に本発明の他の実施の形態について説明する。
以下の説明では、上記実施の形態と異なる点についてのみ説明するものとし、同一の構成部分については同一の符号を付してその説明は省略する。
実施の形態２
図２は本発明の実施の形態２に係る感染性廃棄物廃水処理装置を示している。
この実施の形態２では、第１処理槽１に攪拌手段としての攪拌器１５を設け、前処理工程で第１処理槽１内の廃水を所定時間攪拌するようにしたものである。攪拌器１５は、第１処理槽内に挿入される撹拌羽１５ａと、攪拌羽１５ａを回転駆動するモータ１５ｂとを備えている。
【００２３】
そして、第１処理槽１への廃水の充填が終了した時点で、攪拌器１５を所定時間回転駆動し、攪拌器１５を停止した後、循環ポンプ７４を駆動して廃水を循環させ、廃水にオゾン発生装置８０からオゾンを供給し、オゾンにて殺菌処理をする。
このように、二酸化塩素による前処理工程で所定時間攪拌処理すれば、上記した実施の形態１に比べて殺菌消毒が効率的に進行し、後処理でのオゾン処理時間を短縮化できる。
【００２４】
実施の形態３
図３には本発明の実施の形態３に係る感染性廃棄物の処理装置を示している。
この実施の形態は、第１処理槽１に廃水を供給する廃水供給系が異なる。
すなわち、この実施の形態２では、感染性廃棄物としては、解剖室からの廃水の他に、手術部門、隔離病室、透析部門からの各廃水を処理するもので、量が多くなる場合もあり、第１処理槽１の前に一時貯留槽３００を設け、各廃棄物発生部署から廃水を一時貯留しておき、汲み上げポンプ３０１によって第１処理槽１内に所定量ずつ汲み上げて処理するようにしたものである。もちろん、廃水が出る部署が一つだけの場合についても適用可能である。
【００２５】
また、この実施の形態では、二酸化塩素注入装置３は、給水路１２０からの第１分岐ライン１２１を通じてタンク３１内に給水可能とし、二酸化塩素濃度を調整可能としたものである。タンク３１には、タンク３１内の二酸化塩素を撹拌する攪拌器３２と、タンク３１内の液面を検出する液面計３４と，タンク３１内に水位が所定量に達すると給水を停止するリミットスイッチ３５が設けられている。
給水路１２０の第１分岐ライン１２１の分岐部で分岐した第２分岐ライン１２２は二酸化塩素注入路６に接続され、第１処理槽１への給水は二酸化塩素注入路６を通じて行うようになっている。そして、タンク３１への給水は第１分岐ライン１２１に設けられた電動の第１開閉バルブ１２１ａによって制御され、第１処理槽１への給水は第２分岐ライン１２２に設けられた電動の第２開閉バルブ１２２ａによって制御され、二酸化塩素の注入路６は電動の第３開閉バルブ６ａによって制御される。
各部署からの廃水は排水通路を通して一時貯留槽３００に送られる。排水通路には排水桝やバスケットスクリーン等のゴミや異物を除去する異物除去具３５２が設けられている。異物除去具３５２に二酸化塩素注入通路６からの分岐通路６１を通じて二酸化塩素が供給される。分岐通路６１は各固分除去具に対して３つに分岐している。
一時貯留槽３００には、汲み上げポンプ３０１が予備のために２つ設けられ、この汲み上げポンプ３０１から汲み上げ通路３０２を通じて第１処理槽１に供給される。
一時貯留槽３００が接地される床には、清掃用あるいは一時貯留槽３００から溢れた廃水を汲み上げるポンプ３０３が設定され、このポンプ３０３によって汲み上げられた廃水は一時処理槽３００に戻されるようになっている。
【００２６】
この実施の形態２に係る感染性廃棄物処理装置は、各部署からの廃水は随時一時貯留室３００に貯留され、所定量貯まるとポンプ３０１が駆動して貯留された廃水が第１処理槽１に汲み上げられる。同時に殺菌消毒剤注入装置３のポンプ３３が駆動し、二酸化塩素が所定量第１処理槽１に注入される。
二酸化塩素の一部は、分岐通路６１を経由して各部署の排水出口に置かれた異物除去具３５２に注入される。この分岐通路６１への注入量は、各分岐通路６１に設けられた切換バルブ６１ａを開閉することによって調節可能である。
この分岐通路６１を経由して注入された二酸化塩素によって異物除去具３５２は殺菌消毒され、さらに、一時貯留槽３００に流入して、一時貯留槽３００に貯留されている廃水についても殺菌消毒する。この二酸化塩素の濃度は随時流入する廃水によって希釈化されて薄い濃度であるが、第１処理槽１の前段階である程度殺菌処理が進む。
【００２７】
第１処理槽１に汲み上げられた廃水に注入設備３から注入される所定量の二酸化塩素が注入されるので、少なくとも一定濃度以上の二酸化塩素濃度が確保される。
第１処理槽１内に排水量が所定量に達すると、汲み上げポンプ３０１および注入ポンプ３３が停止され、撹拌器１５が駆動を開始し一定時間撹拌する。
一定時間経過後、撹拌器１５が停止し、オゾン処理に移行する。
オゾン処理については上記実施の形態１と全く同一である。
なお、二酸化塩素に紫外線を照射する場合、あるいは酢酸等の酸を加えて二酸化塩素を活性化させる場合には、紫外線照射装置等の活性化手段は、二酸化塩素注入路６、第１処理槽１、分岐通路６１および一時貯留槽３００と第１処理槽１間の供給路のいずれか、あるいは複数箇所に設ければよい。
【００２８】
実施の形態４
図４は本発明の実施の形態４に係る感染性廃棄物の処理装置を示している。
この処理装置は、廃棄物発生部署からの廃水の取水口に個別の受水槽４００を設け、この個別貯留槽４００から一時貯留槽３００にポンプ４０１で汲み上げるようにしたものである。この受水槽４００が一時貯留槽より低い位置にある場合に有効である。
この場合、配管系が複雑になる場合には、図５に示すように、二酸化塩素の分岐通路は無くし、異物除去具３５２の消毒は二酸化塩素の散布を手作業で行うようにすればよい。
上記実施の形態では、殺菌消毒剤として二酸化塩素を用いた例を示したが、二酸化塩素に限られず、他の殺菌消毒剤を用いることができる。その場合、それ自身安全でトリハロメタンのような二次汚染の問題がなく、しかも殺菌力が高く、かつ後処理のオゾン処理となじみのよい殺菌消毒剤であることが好適である。
【００２９】
【発明の効果】
本発明は以上の構成及び作用を有するもので、医療機関等から廃棄される感染性廃棄物を含む廃水を殺菌消毒剤で前処理をし、その後、オゾン処理をするようにしたので、殺菌消毒剤で大半の病原菌は死滅あるいは弱り、比較的小型のオゾン処理設備で処理することができる。また、固形分についても分解処理することができる。
また、オゾン処理によって前処理工程で使用した殺菌消毒剤が分解されるので、特に中和処理等の後処理を必要せず、殺菌消毒剤の残留濃度を適正範囲に押さえることができる。
特に、請求項２に記載のように、殺菌消毒剤として二酸化塩素を用いれば、安定で殺菌効果が高く、また、他の塩素系の殺菌消毒剤のようにトリハロメタンが発生せず、環境に対する影響が小さい。また、排出されるホルマリンなどの薬品についても分解することができる。
【００３０】
請求項３に記載のように、殺菌消毒剤による前処理を一定時間攪拌すれば、殺菌消毒が効率的に進行し、オゾン処理時間の短縮化を図ることができる。
また、請求項４に記載のように、オゾン処理は第１および第２処理槽間を循環する廃水中にオゾンを供給して処理する方法であり、殺菌消毒剤による前処理は一方の第１処理槽で行い、その後循環させて所定時間オゾン処理を行うようにすれば、連続して処理することができる。
さらに、請求項５に記載のように、第１処理槽の前に廃水を随時受け付ける一時貯留槽を設け、一時貯留槽から一定量だけ第１処理槽に移して処理するようにすれば、排水量が多くなっても、処理を安定して行うことができる。
【００３１】
本発明の感染性廃棄物の処理装置は、請求項６に記載のように、第１処理槽と、第２処理槽と、第１処理槽に殺菌消毒剤を注入する殺菌消毒剤注入手段と、前記第１処理槽に感染性廃棄物を含む廃水を供給する廃水供給手段と、廃水を第１処理槽と第２処理槽間を循環させる循環手段と、循環する廃水中にオゾンを供給するオゾン供給手段と、処理した廃水を放出する放出手段とを備えた構成としたので、第１処理槽が殺菌消毒剤による処理とオゾン処理に共用することができ、装置構成がコンパクト化される。
請求項８に記載のように、殺菌消毒剤が注入された第１処理槽内の廃水を攪拌する攪拌手段を備えることにより、殺菌消毒を効率的に処理できる。
【００３２】
また、請求項９に記載のように、廃水供給手段に設けられる異物除去手段と、前記殺菌消毒剤注入手段から分岐して殺菌消毒剤の一部を前記異物除去手段に対して注入する分岐通路とを備えることにより、排水桝などの異物除去手段の殺菌，消毒を行うことができる。
請求項１０に記載の発明によれば、第１処理槽の前に設けられ感染性廃棄物の廃水を随時受け付ける一時貯留槽と、一時貯留槽から廃水を所定量第１処理槽へ供給する供給手段とを備えた構成としたので、排水量に関わらず適正に処理することができる。
請求項１１に記載の発明によれば、一時貯留槽の上流側に設けられる受水槽と、受水槽から前記一時貯留槽に廃水を供給する供給手段とを備えた構成としたので、感染廃棄物の廃水が発生する部署のフロアが一時貯留槽より低い位置にある場合に有効である。
請求項１２，１３に記載の発明によれば、二酸化塩素の前処理工程で紫外線の照射等によって二酸化塩素を活性化させるようにしたので、二酸化塩素が低濃度でも殺菌効果が高くなる。
【図面の簡単な説明】
【図１】図１は本発明の実施の形態１に係る感染性廃棄物の処理装置の構成図である。
【図２】図２は本発明の実施の形態２に係る感染性廃棄物の処理装置の構成図である。
【図３】図３は本発明の実施の形態３に係る感染性廃棄物の処理装置の構成図である。
【図４】図４は本発明の実施の形態４に係る感染性廃棄物の処理装置の構成図である。
【図５】図５は本発明の実施の形態４の変形例を示す図である。
【符号の説明】
１０　処理装置
１　第１処理槽、２　　第２処理槽
３　　二酸化塩素注入装置
３１　タンク、３２　ポンプ、６　注入路
５　廃棄物供給装置
５２　排水桝、５３　供給路
７　循環装置
７０　循環路、７１　輸送通路、７２　戻し通路、７３　循環ポンプ、７５　バルブ
８　オゾン供給装置
８０　オゾン発生器、８１　エゼクタ、８２　オゾン供給路
９　放流装置。
９１　放出路、９２　放流ポンプ、９３　第１放流バルブ、９４　抜き取り通路、９５　第２放流バルブ
１３０　サンプリング通路
１５　攪拌器
３００　一時貯留槽
３０１　ポンプ
３０３　ポンプ
３５２　異物除去具
４００　受水槽
４０１　ポンプ
【図１】
2004024922.tif 000003
【図２】
2004024922.tif 000004
【図３】
2004024922.tif 000005
【図４】
2004024922.tif 000006
【図５】
2004024922.tif 000007
【手続補正書】
【提出日】平成15年9月8日(2003.9.8)
【手続補正１】
【補正対象書類名】明細書
【補正対象項目名】特許請求の範囲
【補正方法】変更
【補正の内容】
【特許請求の範囲】
【請求項１】
感染性廃棄物を含む廃水を二酸化塩素で前処理をし、その後、オゾン処理をすることにより殺菌と残留二酸化塩素の分解をすることを特徴とする感染性廃棄物の処理方法。
【請求項２】前記二酸化塩素による前処理は、二酸化塩素を注入した後一定時間攪拌することを特徴とする請求項１に記載の感染性廃棄物の処理方法。
【請求項３】オゾン処理は、第１および第２処理槽間を循環する廃水中にオゾンを供給して処理する方法であり、二酸化塩素による前処理は一方の第１処理槽で行い、その後循環させて所定時間オゾン処理を行うことを特徴とする請求項１又は２に記載の感染性廃棄物の処理方法。
【請求項４】第１処理槽の前に廃水を随時受け付ける一時貯留槽を設け、該一時貯留槽から一定量だけ第１処理槽に移して処理することを特徴とする請求項１乃至３のいずかの項に記載の感染性廃棄物の処理方法。
【請求項５】第１処理槽と、第２処理槽と、第１処理槽に二酸化塩素を注入する二酸化塩素注入手段と、前記第１処理槽に感染性廃棄物を含む廃水を供給する廃水供給手段と、廃水を第１処理槽と第２処理槽間を循環させる循環手段と、循環する廃水中にオゾンを供給して殺菌と残留二酸化塩素の分解をするオゾン供給手段と、処理した廃水を放出する放出手段とを備えていることを特徴とする感染性廃棄物の処理装置。
【請求項６】二酸化塩素が注入された第１処理槽内の廃水を攪拌する攪拌手段を備えている請求項５に記載の感染性廃棄物の処理装置。
【請求項７】廃水供給手段に設けられる異物除去手段と、前記二酸化塩素注入手段から分岐して二酸化塩素の一部を前記異物除去手段に対して注入する分岐通路とを備えている請求項５又は６に記載の感染性廃棄物の処理装置。
【請求項８】第１処理槽の前に設けられ感染性廃棄物の廃水を随時受け付ける一時貯留槽と、該一時貯留槽から廃水を所定量第１処理槽へ供給する供給手段とを備えている請求項５乃至７のいずれかの項に記載の感染性廃棄物の処理装置。
【請求項９】一時貯留槽の前に廃水を受けるために設けられる受水槽と、該受水槽から前記一時貯留槽に廃水を供給する供給手段とを備えている請求項８に記載の感染性廃棄物の処理装置。
【請求項１０】
二酸化塩素は安定化二酸化塩素である請求項１乃至４のいずれかの項に記載の感染性廃棄物の処理方法。
【請求項１１】
二酸化塩素は安定二酸化塩素である請求項５乃至９のいずれかの項に記載の感染性廃棄物の処理装置。
【手続補正２】
【補正対象書類名】明細書
【補正対象項目名】０００５
【補正方法】変更
【補正の内容】
【０００５】
【課題を解決するための手段】
上記目的を達成するために、本発明に係る感染性廃棄物の処理方法は、医療機関等から廃棄される感染性廃棄物を含む廃水を二酸化塩素で前処理をし、その後、オゾン処理をすることにより殺菌と残留二酸化塩素の分解をすることを特徴とする。
二酸化塩素による前処理は、二酸化塩素を注入した後一定時間攪拌することを特徴とする。


【手続補正３】
【補正対象書類名】明細書
【補正対象項目名】０００６
【補正方法】変更
【補正の内容】
【０００６】
オゾン処理は、第１および第２処理槽間を循環する廃水中にオゾンを供給して処理する方法であり、二酸化塩素による前処理は一方の第１処理槽で行い、その後循環させて所定時間オゾン処理を行うことを特徴とする。
第１処理槽の前に廃水を随時受け付ける一時貯留槽を設け、該一時貯留槽から一定量だけ第１処理槽に移して処理することが好ましい。


【手続補正４】
【補正対象書類名】明細書
【補正対象項目名】０００７
【補正方法】変更
【補正の内容】
【０００７】
また、本発明の感染性廃棄物の処理装置は、第１処理槽と、第２処理槽と、第１処理槽に二酸化塩素を注入する二酸化塩素注入手段と、前記第１処理槽に感染性廃棄物を含む廃水を供給する廃水供給手段と、廃水を第１処理槽と第２処理槽間を循環させる循環手段と、循環する廃水中にオゾンを供給して殺菌と残留二酸化塩素の分解をするオゾン供給手段と、処理した廃水を放出する放出手段とを備えていることを特徴とする。


【手続補正５】
【補正対象書類名】明細書
【補正対象項目名】０００８
【補正方法】変更
【補正の内容】
【０００８】
二酸化塩素が注入された第１処理槽内の廃水を攪拌する攪拌手段を備えているのが効果的である。
廃水供給手段に設けられる異物除去手段と、前記二酸化塩素注入手段から分岐して二酸化塩素の一部を前記異物除去手段に対して注入する分岐通路とを備えていることが好適である。
第１処理槽の前に設けられ感染性廃棄物の廃水を随時受け付ける一時貯留槽と、該一時貯留槽から廃水を所定量第１処理槽へ供給する供給手段とを備えていることが好ましい。
また、一時貯留槽の前に設けられる廃水を受けるための受水槽と、該受水槽から前記一時貯留槽に廃水を供給する供給手段とを備えていてもよい。
使用する二酸化塩素は安定化二酸化塩素が好ましい。


【手続補正６】
【補正対象書類名】明細書
【補正対象項目名】００２１
【補正方法】変更
【補正の内容】
【００２１】
本発明によれば、前処理工程で二酸化塩素で殺菌することにより、オゾン処理によって効率的に廃水を処理できた。
オゾン処理単独で達成しようとすると、処理に時間がかかり、時間を短縮しようとすれば、大型のオゾン発生器８０が必要となり、コストが高くなる。これに対し、本発明によれば、容量の小さいオゾン発生器８０で、基準内の水質を達成することができた。
また、二酸化塩素単独で処理する場合には、後の中和処理が必要となるが、本発明の場合には、濃度が低くても後工程のオゾン処理によって殺菌をし、有機物を分解することができる。
さらに、前処理で残留した二酸化塩素はオゾン処理工程で分解され、二酸化塩素の残留濃度を適正に押さえることができた。


【手続補正７】
【補正対象書類名】明細書
【補正対象項目名】００２７
【補正方法】変更
【補正の内容】
【００２７】
第１処理槽１に汲み上げられた廃水に注入設備３から注入される所定量の二酸化塩素が注入されるので、少なくとも一定濃度以上の二酸化塩素濃度が確保される。
第１処理槽１内に排水量が所定量に達すると、汲み上げポンプ３０１および注入ポンプ３３が停止され、撹拌器１５が駆動を開始し一定時間撹拌する。
一定時間経過後、撹拌器１５が停止し、オゾン処理に移行する。
オゾン処理については上記実施の形態１と全く同一である。


【手続補正８】
【補正対象書類名】明細書
【補正対象項目名】００２８
【補正方法】変更
【補正の内容】
【００２８】
実施の形態４
図４は本発明の実施の形態４に係る感染性廃棄物の処理装置を示している。
この処理装置は、廃棄物発生部署からの廃水の取水口に個別の受水槽４００を設け、この個別貯留槽４００から一時貯留槽３００にポンプ４０１で汲み上げるようにしたものである。この受水槽４００が一時貯留槽より低い位置にある場合に有効である。
この場合、配管系が複雑になる場合には、図５に示すように、二酸化塩素の分岐通路は無くし、異物除去具３５２の消毒は二酸化塩素の散布を手作業で行うようにすればよい。


【手続補正９】
【補正対象書類名】明細書
【補正対象項目名】００２９
【補正方法】変更
【補正の内容】
【００２９】
【発明の効果】
本発明は以上の構成及び作用を有するもので、医療機関等から廃棄される感染性廃棄物を含む廃水を二酸化塩素で前処理をし、その後、オゾン処理をするようにしたので、二酸化塩素で大半の病原菌は死滅あるいは弱り、比較的小型のオゾン処理設備で処理することができる。また、固形分についても分解処理することができる。
また、オゾン処理によって前処理工程で使用した二酸化塩素が分解されるので、特に中和処理等の後処理を必要せず、二酸化塩素の残留濃度を適正範囲に押さえることができる。
特に、二酸化塩素を用いれば、安定で殺菌効果が高く、また、他の塩素系の殺菌消毒剤のようにトリハロメタンが発生せず、環境に対する影響が小さい。また、排出されるホルムアルデヒドについても分解することができる。


【手続補正１０】
【補正対象書類名】明細書
【補正対象項目名】００３０
【補正方法】変更
【補正の内容】
【００３０】
請求項２に記載のように、二酸化塩素による前処理を一定時間攪拌すれば、殺菌消毒が効率的に進行し、オゾン処理時間の短縮化を図ることができる。
また、請求項３に記載のように、オゾン処理は第１および第２処理槽間を循環する廃水中にオゾンを供給して処理する方法であり、二酸化塩素による前処理は一方の第１処理槽で行い、その後循環させて所定時間オゾン処理を行うようにすれば、連続して処理することができる。
さらに、請求項４に記載のように、第１処理槽の前に廃水を随時受け付ける一時貯留槽を設け、一時貯留槽から一定量だけ第１処理槽に移して処理するようにすれば、排水量が多くなっても、処理を安定して行うことができる。


【手続補正１１】
【補正対象書類名】明細書
【補正対象項目名】００３１
【補正方法】変更
【補正の内容】
【００３１】
本発明の感染性廃棄物の処理装置は、請求項５に記載のように、第１処理槽と、第２処理槽と、第１処理槽に二酸化塩素を注入する二酸化塩素注入手段と、前記第１処理槽に感染性廃棄物を含む廃水を供給する廃水供給手段と、廃水を第１処理槽と第２処理槽間を循環させる循環手段と、循環する廃水中にオゾンを供給するオゾン供給手段と、処理した廃水を放出する放出手段とを備えた構成としたので、第１処理槽が二酸化塩素による処理とオゾン処理に共用することができ、装置構成がコンパクト化される。
請求項６に記載のように、二酸化塩素が注入された第１処理槽内の廃水を攪拌する攪拌手段を備えることにより、殺菌消毒を効率的に処理できる。


【手続補正１２】
【補正対象書類名】明細書
【補正対象項目名】００３２
【補正方法】変更
【補正の内容】
【００３２】
また、請求項７に記載のように、廃水供給手段に設けられる異物除去手段と、前記二酸化塩素注入手段から分岐して二酸化塩素の一部を前記異物除去手段に対して注入する分岐通路とを備えることにより、排水桝などの異物除去手段の殺菌，消毒を行うことができる。
請求項８に記載の発明によれば、第１処理槽の前に設けられ感染性廃棄物の廃水を随時受け付ける一時貯留槽と、一時貯留槽から廃水を所定量第１処理槽へ供給する供給手段とを備えた構成としたので、排水量に関わらず適正に処理することができる。
請求項９に記載の発明によれば、一時貯留槽の上流側に設けられる受水槽と、受水槽から前記一時貯留槽に廃水を供給する供給手段とを備えた構成としたので、感染廃棄物の廃水が発生する部署のフロアが一時貯留槽より低い位置にある場合に有効である。